(57)【特許請求の範囲】
【請求項１】
充電池と、
記憶部と、
前記充電池の充電回数情報を前記記憶部に記憶するように制御する制御部と、
前記充電池に関する充電回数情報を外部から取得する情報取得部と、を備え、
前記制御部は、前記情報取得部にて前記充電回数情報を取得した場合、当該充電回数情報に基づいて所定の情報更新を行い、
前記充電池は、固有のＩＤ情報を有しており、
前記制御部は、前記充電池が装着された時に、当該充電池のＩＤ情報が前記記憶部に記憶されているか否かを確認し、当該ＩＤ情報が前記記憶部に記憶されていない場合には、当該充電池が未使用品か否かを選択する第１の選択メニューを提示し、前記第１の選択メニューから未使用品である旨が選択された場合、当該充電池のＩＤ情報を新規に登録するとともに、以降の充電回数情報を当該ＩＤ情報に対応付けて記憶するように前記記憶部を制御し、前記第１の選択メニューから使用品である旨が選択された場合、当該充電池の充電回数情報を前記情報取得部により取得することを促す情報を報知するように制御することを特徴とする携帯電子機器。
【請求項２】
前記制御部は、前記充電池が装着された時に、当該充電池のＩＤ情報が前記記憶部に記憶されているか否かを確認し、当該ＩＤ情報が前記記憶部に記憶されていた場合、当該充電池が他の機器で使用されていたか否かを選択する第２の選択メニューを提示し、前記第２の選択メニューから他の機器で使用されていなかった旨が選択された場合、前記記憶部に記憶していた充電回数情報に基づいて所定の情報更新を行い、前記第２の選択メニューから他の機器で使用されていた旨が選択された場合、当該充電池の充電回数情報を前記情報取得部により取得することを促す情報を報知するように制御することを特徴とする請求項１に記載の携帯電子機器。
【発明の詳細な説明】
【技術分野】
【０００１】
本発明は、充電池が装着される携帯電子機器に関し、詳細には、充電池の使用状態を報知する携帯電子機器に関する。
【背景技術】
【０００２】
現在、携帯電話用の電池としては、リチウムイオン電池が主流であるが、今後ますます携帯端末の小型、軽量化、かつ、高機能化（デジタルテレビの連続視聴や、音楽連続再生、ＷＥＢ閲覧等）により、電池の充放電サイクルが、早くなり、結果として、携帯端末の使用期間に対し、電池の寿命が短い傾向になることが予想される。
【０００３】
ここで、電池の寿命を検出する方法としては、電池のインピーダンス値の変化により電池の寿命を判断する方法（例えば、特許文献１を参照。）や、充放電カーブに関する関数を保存しておき、充放電時に劣化値を重み付けして計算することにより電池の寿命を判断する方法（例えば、特許文献２を参照。）がある。
【０００４】
また、一般的に電池の寿命とは、電池製造メーカにより規定されており、例えば、約５００〜６００回の充放電によって初期容量のおよそ５〜６割程度まで低下した時点の状態ことをいい、この状態を超えた場合には、内部抵抗の上昇等により、携帯端末の動作に対して所期の動作を担保できなくなる。
【０００５】
したがって、携帯端末の所期の動作を担保するために、使用者に対して、正確かつ明確に電池の寿命を報知する必要がある。
【特許文献１】特開平０５−７４５０１号公報
【特許文献２】特開２００４−２６４３０３号公報
【発明の開示】
【発明が解決しようとする課題】
【０００６】
ところで、携帯端末においては、電池を取り外したり装着したりすることができ、電池が交換された場合には、電池の寿命状態を判定することは困難である。
【０００７】
本発明では、上述のような課題に鑑みてなされたものであり、その目的の一つは、簡易な構成により、コストの増大を伴わずに、電池が交換された場合等においても、電池の寿命を正確に判定することができる携帯電子機器を提供することにある。
【課題を解決するための手段】
【０００８】
本発明に係る携帯電子機器は、上記課題を解決するために、充電池と、記憶部と、前記充電池の充電回数情報を前記記憶部に記憶するように制御する制御部と、前記充電池に関する充電回数情報を外部から取得する情報取得部と、を備え、前記制御部は、前記情報取得部にて前記充電回数情報を取得した場合、当該充電回数情報に基づいて所定の情報更新を行い、前記充電池は、固有のＩＤ情報を有しており、前記制御部は、前記充電池が装着された時に、当該充電池のＩＤ情報が前記記憶部に記憶されているか否かを確認し、当該ＩＤ情報が前記記憶部に記憶されていない場合には、当該充電池が未使用品か否かを選択する第１の選択メニューを提示し、前記第１の選択メニューから未使用品である旨が選択された場合、当該充電池のＩＤ情報を新規に登録するとともに、以降の充電回数情報を当該ＩＤ情報に対応付けて記憶するように前記記憶部を制御し、前記第１の選択メニューから使用品である旨が選択された場合、当該充電池の充電回数情報を前記情報取得部により取得することを促す情報を報知するように制御することを特徴とする。
【０００９】
また、前記携帯電子機器では、前記制御部は、前記充電池が装着された時に、当該充電池のＩＤ情報が前記記憶部に記憶されているか否かを確認し、当該ＩＤ情報が前記記憶部に記憶されていた場合、当該充電池が他の機器で使用されていたか否かを選択する第２の選択メニューを提示し、前記第２の選択メニューから他の機器で使用されていなかった旨が選択された場合、前記記憶部に記憶していた充電回数情報に基づいて所定の情報更新を行い、前記第２の選択メニューから他の機器で使用されていた旨が選択された場合、当該充電池の充電回数情報を前記情報取得部により取得することを促す情報を報知するように制御することが好ましい。
【発明の効果】
【００１５】
本発明によれば、電池が交換された場合等においても、電池の寿命を正確に判定することができる。
【発明を実施するための最良の形態】
【００１６】
以下、本発明の実施の形態について説明する。
【００１７】
図１は、本発明に係る携帯電子機器の一例である携帯電話装置１の外観斜視図を示す。なお、以下では、携帯電話装置について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１８】
携帯電話装置１は、操作部側筐体部２と、表示部側筐体部３と、を備えて構成される。操作部側筐体部２は、表面部１０に、操作キー群１１と、使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００１９】
また、表示部側筐体部３は、表面部２０に、各種情報を表示するためのディスプレイ２１と、通話の相手側の音声を出力する音声出力部２２と、を備えて構成されている。
【００２０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２１】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００２２】
また、図２は、操作部側筐体部２の一部を分解した斜視図を示している。操作部側筐体部２は、図２に示すように、回路基板３０と、リアケース部３１と、充電可能な電池である充電池３２と、充電池カバー３３と、によって構成されている。
【００２３】
回路基板３０は、所定の演算処理を行うＣＰＵ等の素子（後述する制御ブロック４８に相当）が実装されており、表面部１０上の操作キー群１１がユーザにより操作が行われたときに、所定の信号がＣＰＵに供給される。また、回路基板３０には、後述する電池端子４６が実装されている。
【００２４】
リアケース部３１は、ヒンジ機構４を固定するヒンジ機構固定部３１Ａと、所定の使用周波数帯により通信を行うメインアンテナ７０を収納するメインアンテナ収納部３１Ｂと、充電池３２を格納する充電池格納部３１Ｃと、を備えている。
【００２５】
また、図３は、携帯電話装置１の機能を示す機能ブロック図である。携帯電話装置１は、図３に示すように、操作キー群１１と、マイク１２と、ディスプレイ２１と、音声出力部２２と、通信部４１と、記憶部４２と、電源回路４３と、音声処理部４４と、スピーカ４５と、電池端子４６と、非接触リーダ４７と、各部を制御する制御ブロック４８と、を備えている。なお、電池端子４６には、第１の端子５１と、非接触リーダ４７に接続されるＲＦＩＤアンテナ５２が備えられている。さらに、充電池３２は、バッテリセル６１と、認証用記憶部６２と、非接触出力部６３と、第２の端子６４と、を備えている。
【００２６】
また、携帯電話装置１は、この携帯電話装置１に対応する所定の充電装置８０の上に載置されると、電源回路４３と充電装置８０の互いに対応する接続端子同士が接触して回路接続され、充電池３２のバッテリセル６１が充電される。
【００２７】
すなわち、電源回路４３内の一部には、充電装置８０と充電池３２の間を回路接続する充電回路が形成されている。また、電源回路４３は、制御ブロック４８からの命令に基づいて、充電回路により行われる、充電装置８０から充電池３２への給電動作のＯＮ状態とＯＦＦ状態とが切り換えられる構成になっている。
【００２８】
通信部４１は、所定の使用周波数帯により外部装置と通信を行うメインアンテナ７０と、変調処理又は復調処理等の信号処理を行う通信処理部７１と、を備える。また、通信部４１は、電源回路４３を介して充電池３２から電源電圧の供給を受けている。また、通信部４１は、一般的な携帯電話装置と同様に、例えば、ＣＤＭＡ２０００＿１ｘ方式等の無線通信により、最寄りの基地局を介して、公衆の通信網に接続することができるようになっている。
【００２９】
記憶部４２は、不揮発性記憶媒体であって、複数個の充電池のＩＤ情報がそれぞれの使用状況の情報とともに記憶されている。また、記憶部４２に記憶されている内容は、ユーザによる書き換えが行えないような構成になっているものとする。
【００３０】
電源回路４３は、充電池３２から供給される電源電圧を所定の電圧に変換し、変換後の電圧を携帯電話装置１の各部に供給する。
【００３１】
音声処理部４４は、制御ブロック４８により制御され、通話時における相手側の音声を音声出力部２２から出力し、また、マイク１２から入力されたユーザの声に信号処理を行う。また、音声処理部４４は、例えば、記憶部４２に格納されている音楽データの再生処理を行いスピーカ４５から出力する。
【００３２】
第１の端子５１は、充電池３２の第２の端子６４に接続され、バッテリセル６１から供給される電源電圧を電源回路４３に供給する。
【００３３】
また、充電池３２は、図３に示すように、認証用記憶部６２と非接触出力部６３とが互いに回路接続されている。そして、認証用記憶部６２には、充電池を識別するための固有のＩＤ情報が記憶されている。具体的には、認証用記憶部６２は、スタートビットとストップビットに挟まれてなるデータ領域を有し、さらに誤り訂正用のパリティービットを含めるシリアルデータを格納可能な構成となっている。また、データ領域には、ＩＤ情報として、充電池３２の製造番号等の充電池に固有のＩＤ情報や、充電池の種別情報（リチウムイオン式、ニッケル水素式、又はニッケルカドミウム式等）や、メーカ種別、容量値等の情報がシリアル列で記憶されている。
【００３４】
ここで、充電池３２の特性について説明する。例えば、充電池３２がリチウムイオン電池の場合には、一般的に、約５００サイクル程度の充電・放電動作により、容量が約６０パーセント程度にまで低下する。また、容量が約６０パーセント程度にまで低下した状態を電池寿命という。なお、充電池３２は、電池寿命に達した状態であっても、まだ使用可能な状態ではあるが、このような状態においては、インピーダンスも上昇しており、所期の性能を発揮するのは困難な状況になっている。また、容量が約６０パーセント未満に達した後は、容量が加速度的に低下してゆく（図４を参照。）。
【００３５】
したがって、充電池の充放電の回数をカウントし、そのカウントに応じて電池寿命を使用者に報知することが望まれるが、充電池が交換等された場合、継続的な電池寿命の測定ができず、電池寿命を正確に判定することが困難となる。例えば、携帯電話装置から充電池が抜き取られ、当該充電池を専用の充電機器等により充電を行い、その後、再び携帯電話装置に装着するような場合には、当該充電池３２の充電サイクル回数自体は更新されているが、充電池３２にこのような更新情報が残らないため、正確な充電寿命を判断することが困難となる。そこで、本発明では、簡易な構成によってコストの増大を伴わずに、充電池が交換等された場合においても、電池寿命を正確に判定することが可能な構成及び方法を提案する。
【００３６】
また、非接触リーダ４７は、制御ブロック４８の制御にしたがって、ＲＦＩＤ（Ｒａｄｉｏ  Ｆｒｅｑｕｅｎｃｙ  Ｉｄｅｎｔｉｆｉｃａｔｉｏｎ）の技術により、非接触出力部６３との間でＲＦＩＤアンテナ５２を介して非接触式（無線式）通信を行ない、充電池３２の認証用記憶部６２に記憶されているＩＤ情報を読み取ることができるようになっている。
【００３７】
すなわち、充電池３２が携帯電話装置１に装着された場合でも、非接触リーダ４７と非接触出力部６３は直接回路接続されないが、充電池３２が装着されたことを検出すると、まず、制御ブロック４８がバックグラウンド（表示や音を伴わず）で立ち上がり、制御ブロック４８の命令に基づいて非接触リーダ４７が認証要求の無線送信を開始する。また、非接触出力部６３は、充電池３２内のバッテリセル６１から電源の供給を受けずに、非接触リーダ４７からの認証要求信号を受信することにより動作電力が電磁誘導により生成され、これを電源として認証用記憶部６２に記憶されているＩＤ情報を読み出すとともに、これを非接触リーダ４７に無線出力するようになっている。
【００３８】
つぎに、制御ブロック４８の構成について説明する。制御ブロック４８は、図５に示すように、充電池３２に接続され、充電池３２の電圧値の測定を行う電圧測定部１００と、充電池３２に対して充電の開始及び充電の終了が生じる度に、電圧測定部１００にて充電池３２の電圧を測定し、測定された電圧の値に基づいて特定した充電回数情報を記憶部４２に記憶するように制御する制御部１０１と、を備える。
【００３９】
また、携帯電話装置１は、充電池３２に関する充電回数情報を外部から取得する情報取得部４９を備える。
【００４０】
また、情報取得部４９は、磁界通信により情報を取得するＲＦＩＤにより構成される磁界通信部１０２を有する構成であっても良い。このような構成の場合には、制御部１０１は、他の機器との間で磁界通信部１０２による磁界通信を利用して装着されている充電池３２の充電回数情報を取得する。
【００４１】
また、情報取得部４９は、Ｂｌｕｅｔｏｏｔｈ（登録商標）等の近距離無線通信のほか、ＵＳＢ（Ｕｎｉｖｅｒｓａｌ  Ｓｅｒｉａｌ  Ｂｕｓ）等の有線通信を行えるような構成であっても良い。このようにして、情報取得部４９は、端末間において、基地局等を介さないで直接的に通信を行う直接通信部により構成されている。
【００４２】
また、情報取得部４９は、外部から充電回数情報を取得可能な構成であれば良く、ＲＦＩＤに限られず、例えば、赤外線通信（ＩｒＤＡ、Ｉｎｆｒａｒｅｄ  Ｄａｔａ  Ａｓｓｏｃｉａｔｉｏｎ）等により構成される通信手段であっても良いし、また、着脱可能なメモリカード等のインターフェースであっても良い。
【００４３】
また、本実施例においては、情報取得部４９を通信部４１と独立したものとして説明するが、情報取得部４９は、通信部４１により構成されても良い。このような構成の場合には、携帯電話装置１は、充電池３２の充電回数情報を外部機器等から送信されるメール等により取得する。
【００４４】
なお、情報取得部４９は、基地局等を介して間接的に電池情報を取得できるような構成であっても良いが、地下やビル内等のように基地局まで電波の届きにくいシチュエーションにおいて電池交換をした場合に、時間を置かずに情報取得ができる直接通信部により構成されている方が好ましい。
【００４５】
また、制御部１０１は、情報取得部４９にて充電回数情報を取得した場合、当該充電回数情報に基づいて所定の情報更新を行う。
【００４６】
このように構成されることにより、本発明では、充電池３２が交換された場合（元の充電池３２が再び装着された場合も含む）において、他の機器に保存されている交換された充電池３２の充電回数情報を取得し、取得した充電回数情報に基づいて所定の情報更新を行うので、簡易な構成により、コストの増大を伴わずに、充電池３２の寿命を正確に判定することができる。
【００４７】
また、充電池３２は、上述したように固有のＩＤ情報を有している。また、記憶部４２は、充電池３２が取り外されても、記憶されている充電回数情報及びＩＤ情報を保持する構成である。また、制御部１０１は、充電池３２が装着された時に、充電池３２のＩＤ情報が記憶部４２に記憶されているか否かを確認し、ＩＤ情報が記憶部４２に記憶されている場合には、ＩＤ情報に対応する充電回数情報に基づいて所定の情報更新を行い、また、ＩＤ情報が記憶部４２に記憶されていない場合には、充電池３２の充電回数情報を情報取得部４９により取得し、取得した充電回数情報に基づいて所定の情報更新を行う。
【００４８】
このように構成されることにより、本発明では、充電池３２が交換された場合（元の充電池３２が再び装着された場合も含む）において、当該充電池３２のＩＤ情報が記憶部４２に記憶されているか否か、すなわち、過去に携帯電話装置１に装着され、充電回数情報が記憶部４２に記憶されているか否かを判断し、当該判断に応じて、他の機器に保存されている充電池３２の充電回数情報を取得し、取得した充電回数情報に基づいて所定の情報更新を行うので、簡易な構成により、コストの増大を伴わずに、充電池３２の寿命を正確に判定することができる。
【００４９】
また、携帯電話装置１は、各種の情報を報知する報知部（ディスプレイ２１やスピーカ４５に相当する）を備える。また、制御部１０１は、所定の情報更新として、記憶部４２に記憶されている充電回数情報に基づいて充電池３２の寿命に関する情報をディスプレイ２１やスピーカ４５により報知するように制御する。
【００５０】
このように構成されることにより、本発明では、充電池３２が交換された場合（元の充電池３２が再び装着された場合も含む）において、他の機器に保存されている充電池３２の充電回数情報を取得し、取得した充電回数情報に基づいて、充電池３２の寿命に関する情報をディスプレイ２１やスピーカ４５に提示するので、簡易な構成により、コストの増大を伴わずに、使用者に対して充電池３２の寿命に関する正確な情報を明確に提示することができる。
【００５１】
また、制御部１０１は、充電池３２が装着された時に、充電池３２のＩＤ情報が記憶部４２に記憶されているか否かを確認し、ＩＤ情報が記憶部４２に記憶されていない場合には、充電池３２が未使用品か否かを選択する第１の選択メニューを報知部（ディスプレイ２１やスピーカ４５に相当する）により提示し、操作キー群１１の操作により第１の選択メニューから未使用品である旨が選択された場合、充電池３２のＩＤ情報を新規に登録するとともに、以降の充電回数情報をＩＤ情報に対応付けて記憶するように記憶部４２を制御し、また、操作キー群１１の操作により第１の選択メニューから使用品である旨が選択された場合、充電池３２の充電回数情報を情報取得部４９により取得することを促す情報をディスプレイ２１やスピーカ４５により報知する。
【００５２】
このように構成されることにより、本発明では、充電池３２が交換された場合（元の充電池３２が再び装着された場合も含む）において、交換された充電池３２が未使用品でるか使用品であるかを第１の選択メニューの中から使用者に選択させ、当該選択結果に応じて、充電池３２を新規に登録したり、他の機器に保存されている充電池３２の充電回数情報を取得するためのメッセージを表示するので、充電池３２の寿命判定を正確に行うことができる。
【００５３】
また、制御部１０１は、充電池３２が装着された時に、充電池３２のＩＤ情報が記憶部４２に記憶されているか否かを確認し、ＩＤ情報が記憶部４２に記憶されていた場合、充電池３２が他の機器で使用されていたか否かを選択する第２の選択メニューを報知部（ディスプレイ２１やスピーカ４５に相当する）により提示し、操作キー群１１の操作により第２の選択メニューから他の機器で使用されていなかった旨が選択された場合、記憶部４２に記憶していた充電回数情報に基づいて所定の情報更新を行い、また、操作キー群１１の操作により第２の選択メニューから他の機器で使用されていた旨が選択された場合、充電池３２の充電回数情報を情報取得部４９により取得することを促す情報（メッセージ）をディスプレイ２１やスピーカ４５により報知するように制御する。
【００５４】
このように構成されることにより、本発明では、充電池３２が交換された場合（元の充電池３２が再び装着された場合も含む）において、交換された充電池３２が他の機器で使用されていたか否かを第２の選択メニューの中から使用者に選択させ、当該選択結果に応じて、他の機器から充電池３２の充電回数情報を取得する旨の通知を行うので、充電池３２の寿命判定を正確に行うことができる。
【００５５】
つぎに、上述した充電池３２の電池寿命の判定を正確に行うための方法について、図６及び図７に示すフローチャートを参照しながら説明する。なお、以下では、非接触出力部６３を有する充電池３２とそれを認識し充電・放電回数を把握して電池寿命を判定する機能を有する携帯電話装置１において、特に、過去に充電池３２を他の機器で使用され、再び携帯電話装置１に装着された場合に、充電池３２の使用履歴（充電・放電回数情報）を他の機器から携帯電話装置１に転送し、充電池３２の電池寿命の判定を正しく報知する場合を想定している。
【００５６】
ステップＳ１において、携帯電話装置１は、使用者の操作に応じて主電源がＯＮ状態にされ、所定の起動動作を行う。
【００５７】
ステップＳ２において、制御部１０１は、充電池３２が充電池格納部３１Ｃから取り外され、再び装着されたか否かを判断する。ここで、携帯電話装置１は、充電池３２が充電池格納部３１Ｃから取り外された場合や、充電池３２が充電池格納部３１Ｃに装着された場合の履歴情報を保持しているものとする。なお、当該履歴情報は、例えば、記憶部４２に記憶保持される。また、制御部１０１は、当該履歴情報を参照することにより、主電源がＯＦＦ状態から、ステップＳ１の工程によりＯＮ状態にされるまでの間に、充電池３２が充電池格納部３１Ｃから取り外されたか否かを判断することができる。
【００５８】
充電池３２が一度、充電池格納部３１Ｃから取り外され、再び装着されたと判断した場合（Ｙｅｓ）には、ステップＳ３に進み、充電池３２が充電池格納部３１Ｃから取り外されていないと判断した場合（Ｎｏ）には、ステップＳ１９に進み、充電・放電回数情報を変更せずに、ディスプレイ２１に電池寿命の表示を行う。
【００５９】
ステップＳ３において、制御部１０１は、充電池３２のＩＤ情報を確認する。
【００６０】
ステップＳ４において、制御部１０１は、ステップＳ３の工程により確認した充電池３２のＩＤ情報から、当該充電池３２が新規の充電池であるか、登録済みの充電池であるかを判断する。記憶部４２には、充電池３２ごとにＩＤ情報と充電・放電回数情報が格納されており、制御部１０１は、記憶部４２にアクセスし、充電池３２が新規なもの、すなわち過去に一度も携帯電話装置１に装着されていない充電池であるか否かを判断する。充電池３２が新規の充電池であると判断した場合には、ステップＳ７に進み、充電池３２が登録済みの充電池であると判断した場合には、ステップＳ５に進む。
【００６１】
ステップＳ５において、制御部１０１は、充電池３２が他の機器により使用されていたか否かを確認する第２の選択メニューをディスプレイ２１に表示する。使用者は、操作キー群１１を操作することにより当該第２の選択メニューの中から、充電池３２が他の機器で使用されていたか否かを選択する。
【００６２】
ステップＳ６において、制御部１０１は、ステップＳ５の工程により選択された結果から、充電池３２が他の機器で使用されていたか否かを判断する。充電池３２が他の機器で使用されていたと判断した場合（Ｙｅｓ）には、ステップＳ１０に進み、充電池３２が他の機器で使用されていなかった判断した場合（Ｎｏ）には、ステップＳ１９に進む。
【００６３】
ステップＳ７において、制御部１０１は、充電池３２が未使用品であるか使用品であるかを確認する第１の選択メニューをディスプレイ２１に表示する。使用者は、操作キー群１１を操作することにより、当該第１の選択メニューの中から、充電池３２が未使用品か否かを選択する。
【００６４】
ステップＳ８において、制御部１０１は、ステップＳ７の工程により選択された結果から、充電池３２が未使用品であるか否かを判断する。充電池３２が未使用品であると判断した場合には、ステップＳ９に進み、充電池３２が使用品であると判断した場合には、ステップＳ１０に進む。
【００６５】
ステップＳ９において、制御部１０１は、充電・放電回数情報をゼロとして、記憶部４２に充電池３２のＩＤ情報に関連付けて記憶する。
【００６６】
ステップＳ１０において、制御部１０１は、使用していた他の機器から充電池３２の使用履歴情報（充電・放電回数情報）を取得するか否かの情報（メッセージ）をディスプレイ２１に表示する。使用者は、操作キー群１１を操作することにより、他の機器から充電池３２の充電・放電回数情報を取得するか否かを選択する。他の機器から充電池３２の充電・放電回数情報を取得すると選択された場合（Ｙｅｓ）には、ステップＳ１４に進み、他の機器から充電池３２の充電・放電回数情報を取得しないと選択された場合（Ｎｏ）には、ステップＳ１１に進む。
【００６７】
ステップＳ１１において、制御部１０１は、充電池３２の寿命判定を正確に行うことができないので、電池寿命を示す表示（電池寿命メータ）をディスプレイ２１上から消す（解除する）旨の通知を行う。
【００６８】
ステップＳ１２において、制御部１０１は、ディスプレイ２１から電池寿命メータを解除する。なお、使用者が、他の機器から充電池３２の充電・放電回数情報の取得の操作を行った場合（ステップＳ１３）には、ステップＳ１４に進む。
【００６９】
ステップＳ１４において、制御部１０１は、他の機器から充電池３２の充電・放電回数情報の取得を行う際の手段（例えば、ＲＦＩＤ、ＩｒＤＡ、メモリカード等のインターフェース等）を選択するためのメニューをディスプレイ２１に表示する。
【００７０】
ステップＳ１５において、制御部１０１は、ステップＳ１４の工程によりディスプレイ２１に表示したメニューの中から、一の手段を使用者に選択させる。
【００７１】
ステップＳ１６において、制御部１０１は、使用者により選択された手段に応じて、他の機器との間で通信を行う際の前準備を行う。なお、当該前準備とは、例えば、他の機器との間において通信が行えるかどうかを確認する準備（ハンドシェーク）等である。
【００７２】
ステップＳ１７において、制御部１０１は、他の機器から送信されてくる充電池３２の充電・放電回数情報を受信する。なお、他の機器からの情報転送に失敗した場合には、本工程による処理を繰り返し、所定回数リトライを行う。また、所定回数のリトライが失敗した場合には、ステップＳ１１に進む。
【００７３】
ステップＳ１８において、制御部１０１は、他の機器から送信されてきた充電池３２の充電・放電回数情報を、当該充電池３２のＩＤ情報に関連付けて記憶部４２に格納する。
【００７４】
ステップＳ１９において、制御部１０１は、ステップＳ１８の工程により記憶部４２に格納された充電・放電回数情報に基づいて電池寿命メータを更新する。
【００７５】
＜充電・放電回数情報の計算方法及び補正方法＞
また、本発明に係る携帯電話装置１は、充電・放電回数情報の計算方法及び補正方法については、例えば、以下のようにして行う。
【００７６】
制御部１０１は、充電池３２の電圧状態を測定することにより、充電池３２による充電・放電のサイクル数をカウントする。制御部１０１は、例えば、充電器に電気的に接続された時には、充電開始前の充電池３２の電池電圧（劣化による第１の重み付け係数Ｘが加味される）を測定することにより放電回数をカウントし、また、充電器から電気的に切り離された時には、充電終了後の充電池３２の電池電圧（劣化による第２の重み付け係数Ｙが加味される）を測定することにより充電回数をカウントする。
【００７７】
つぎに、第１の重み付け係数Ｘ及び第２の重み付け係数Ｙについて説明する。なお、第１の重み付け係数Ｘ及び第２の重み付け係数Ｙは、記憶部４２に記憶されており、充電・放電回数をカウントする際に参照される。
【００７８】
第１の重み付け係数Ｘは、例えば、放電電圧に対する容量率の変化に基づいて、
（充電開始直前の電池電圧  →  第１の重み付け係数Ｘ）、
（４．２０Ｖ以上  →  ０回）、
（４．００Ｖ  →  ０．１回）、
（３．８８Ｖ  →  ０．２回）、
（３．８３Ｖ  →  ０．３回）、
（３．７７Ｖ  →  ０．４回）、
（３．７３Ｖ  →  ０．５回）、
（３．６９Ｖ  →  ０．６回）、
（３．６７Ｖ  →  ０．７回）、
（３．６５Ｖ  →  ０．８回）、
（３．６０Ｖ  →  ０．９回）、
（３．３０Ｖ  →  １．０回）、
のように決定される。
【００７９】
また、第２の重み付け係数Ｙは、例えば、充電電圧に対する充電率の変化に基づいて、
（充電完了直後の電池電圧  →  第２の重み付け係数Ｙ）、
（３．６０Ｖ  →  ０回）、
（３．８０Ｖ  →  ０．１回）、
（３．８４Ｖ  →  ０．２回）、
（３．８８Ｖ  →  ０．３回）、
（３．９２Ｖ  →  ０．４回）、
（３．９５Ｖ  →  ０．５回）、
（３．９８Ｖ  →  ０．６回）、
（４．０２Ｖ  →  ０．７回）、
（４．０５Ｖ  →  ０．８回）、
（４．１０Ｖ  →  ０．９回）、
（４．２０Ｖ  →  １．０回）、
のように決定される。
【００８０】
このようにして、本発明に係る携帯電話装置１では、ＩＤ情報を有する充電池３２の充電・放電回数情報の演算を行い、当該充電・放電回数情報に基づいて電池寿命を判定する携帯電話装置１において、充電池３２が装着された場合に、充電池３２のＩＤ情報を読み取り、当該ＩＤ情報が新規の場合には、当該充電池３２が未使用品か否かの確認を使用者に行い、使用品である場合には、情報取得部４９により他の機器から充電池３２の使用履歴情報（充電・放電回数情報）を転送させるように使用者に通知し、また、当該情報を取得できない場合であって、使用品を引き続き使用する場合には、寿命判定を行わないことを使用者に通知するので、充電池３２の寿命判定の誤りを防止することができ、充電池３２の使用状況や残寿命の判定を正確に行うことができる。
【００８１】
なお、充電・放電回数情報を転送する機器同士が相互通信を行える構成であれば、相互に充電・放電回数情報を転送しあうことにより、互いに充電池３２の充電・放電回数情報を共有し、更新することができる。
【図面の簡単な説明】
【００８２】
【図１】本発明に係る携帯電話装置の外観を示す斜視図である。
【図２】本発明に係る携帯電話装置に備えられている操作部側筐体部の構成を示す斜視図である。
【図３】本発明に係る携帯電話装置の機能を示すブロック図である。
【図４】充電池のサイクル回数と放電容量率の関係を示す図である。
【図５】制御ブロックの構成を示す図である。
【図６】電池寿命の判定方法についての説明に供する第１のフローチャートである。
【図７】電池寿命の判定方法についての説明に供する第２のフローチャートである。
【符号の説明】
【００８３】
１  携帯電話装置
２１  ディスプレイ（報知部）
３２  充電池
４２  記憶部
４５  スピーカ（報知部）
４８  制御ブロック
４９  情報取得部
１００  電圧測定部
１０１  制御部
１０２  磁界通信部
【図１】
0005064204.tif 000002
【図２】
0005064204.tif 000003
【図３】
0005064204.tif 000004
【図４】
0005064204.tif 000005
【図５】
0005064204.tif 000006
【図６】
0005064204.tif 000007
【図７】
0005064204.tif 000008